(57)【要約】【課題】  満水に近い状態でのプール使用時にあっても、各側壁部が外側へ撓むようなことがなく、またプールサイドがしっかりして、その縁に乗ったり寄り掛かっても、縁から水が流出することが無い、不使用時は小さく折り畳むことができる体裁良好な合成樹脂製シートからなる空気注入タイプの方形の遊戯用プールを提案する。【解決手段】  平面が方形（長方形又は正方形）で、４辺の合成樹脂製シートから構成される各側壁部は独立した所定厚さの空気室を形成し、各空気室には少なくとも一つの空気給排口が設けられ、底部には合成樹脂製のシートが張設された遊戯用プールであって、４辺の各側壁部はその両端部が下方に向って外側に所定角度傾斜した等脚台形をなし、空気室内にそれぞれ空気が充満したときに、各側壁部の上方が内側に向って傾斜するように立ち上がって行くよう構成されたことを特徴とする。【選択図】  図１
2018017061.tif 000002
【特許請求の範囲】
【請求項１】
平面が方形で、４辺の合成樹脂製シートから構成される各側壁部は独立した所定厚さの空気室を形成し、各空気室には少なくとも一つの空気給排口が設けられ、底部には合成樹脂製の底シートが張設された遊戯用プールであって、４辺の各側壁部はその両端部が下方に向って外側に所定角度傾斜した等脚台形をなし、上記空気室内にそれぞれ空気が充満したときに、各側壁部の下方が外側に向って傾斜するように構成されてなることを特徴とする遊戯用プール
【請求項２】
前記各側壁部の両端は、いずれも垂直方向に対して５〜２０度の範囲で下方が外側へ向って同一角度で傾斜してなる請求項１記載の遊戯用プール。
【請求項３】
前記４辺の各側壁部の連結は、両端が傾斜している左右の側壁部の両端部内側面に、両端が傾斜している前後の側壁部の両端面をその傾斜角度に合わせて接合
してなる請求項１又は２記載の遊戯用プール。
【請求項４】
前記４辺の各側壁部の連結は、前後側壁部の膨満状態の厚さにほぼ近い幅でプールの深さにほぼ同長の２枚の帯状の防水性粘着テープをその接着面を外側に向け、両テープの幅方向の中間部裏面を該テープの長さ方向に沿って接着剤で接着した接着テープを使用し、その片面を前後側壁部の傾斜両端面に接着し、他方の接着面は左右の側壁部の傾斜した両端部内側面に接着してなる請求項１，２又は３のいずれかに記載の遊戯用プール。
【請求項５】
前記４辺の各側壁部の底面全体に接着剤で底シートを接着すると共に、各側壁部と底シートが接する内底部個所の外面を防水性の粘着テープで固定し、四周の各側壁部が互いに連結する隅角部の内側及び外側にも粘着テープを接着し、この隅角部の上端面には更に他のＬ型粘着テープを接着してなる請求項１，２，３又は４のいずれかに記載の遊戯用プール。
【発明の詳細な説明】
【技術分野】
【０００１】
本発明は、空気を注入して膨らませて使用し、使用後は小さく折り畳める合成樹脂シート製の遊戯用プールに関するものである。
【背景技術】
【０００２】
保育園や幼稚園あるいは一般家庭等において、主に幼児が使用するプールは、空気注入型のビニール製のプールが良く利用されている。
【０００３】
この種プールは、コンパクトに収容することができるので、不使用時には折り畳んで別の場所に保管しておくことができ、使用する際には空気を注入して内部に水を貯めれば良く、扱いも非常に容易である。
【０００４】
また、特に幼児が１０人以上利用できるような比較的大きなプールになると、不使用時にはスペースを取ってしまい邪魔になるので、例えば、わざわざ空気を排出しないで折り畳まずに置いておいたり、立て掛ける場合もある。
【０００５】
このような場合、丸型（楕円形型も含む）のタイプよりも、各側壁面が平坦な方形タイプのプールの方が安定感があって都合が良い。
【０００６】
しかし、方形型のプールの場合、プール内側に水を入れて行くと、側壁上方が水圧により次第に外側へ弓なりに膨らんでしまい、プールの縁に乗ったり寄り掛かったりすると、縁から水が外部へ流出してしまうという欠点があり、しかも使用時におけるプール全体の体裁も悪くなるという問題があった。
【先行技術文献】
【特許文献】
【０００７】
【特許文献１】なし。
【非特許文献】
【０００８】
【非特許文献１】なし。
【発明の概要】
【発明が解決しようとする課題】
【０００９】
本発明は、満水に近い状態でのプール使用時にあっても、各側壁が歪むことがなく、プールの縁に乗ったり寄り掛かっても、縁から水が流出することが無い、体裁良好な合成樹脂製シートからなる空気注入タイプの方形の遊戯用プールに関するものである。
【課題を解決するための手段】
【００１０】
本発明は、平面が方形（正方形又は長方形）で、４辺の合成樹脂製シートから構成される各袋状の側壁部は独立した所定厚さの空気室を形成し、各空気室には少なくとも一つの空気給排口が設けられ、底部には合成樹脂製のシートが張設された遊戯用プールであって、４辺の各側壁部はその両端部が下方に向って外側に所定角度傾斜した等脚台形をなし、空気室内にそれぞれ空気が充満したときに、各側壁部の上方が内側に向って傾斜するように立ち上がって行くよう構成された遊戯用プールである。
【発明の効果】
【００１１】
このように、本発明に係る遊戯用プールによれば、プールサイドがしっかりしているので、その縁に座ったり、もたれかかっても、水が外にこぼれるようなことが無く、また満水に近い状態でプールを使用しても、側壁が外側へたわむこともない体裁良好なプールを提供することができるのである。
【００１２】
しかも、平面方形のプールであるから、スペースを無駄なく使用でき、並べて使用すれば、行き来も容易である。
【００１３】
さらに、プール全体が合成樹脂シートで形成されているので、空気を抜けば、小さく折り畳むことができる。
【図面の簡単な説明】
【００１４】
【図１】本発明に係る方形の遊戯用プールに空気を注入した膨満状態の全体斜視図である。
【図２】方形の４周の各側壁部の４隅のうちの一つの隅部を構成する連結状態を示す分解拡大説明図である。
【発明を実施するための形態】
【００１５】
以下、本発明の実施例として、添付の１〜２図に基づいて説明する。
【００１６】
図１は、本発明に係る遊戯用プールに空気を注入した膨満状態の斜視図であり、例えば長さ３００〜４００ｃｍ、幅が２００〜３００ｃｍ、高さが４０〜５０ｃｍの長方形型プールであり、長方形の合成樹脂製の底シート５の４辺の各側縁部に所定厚さで上記の大きさの袋状の側壁部が設けられている。
【００１７】
長さ方向の側壁部（以下、これを左右の側壁部１，２という）と、幅方向の側壁部（以下、これを前後の側壁部３，４という）は、それぞれ前面等脚台形をなし、各側壁部１，２及び３，４の両端は、いずれも垂直方向に対し５〜２０度の範囲で下方が外側へ同一角度で傾斜している。
【００１８】
また、袋状の各側壁部１，２及び３，４は内外２枚のシートからなり、それぞれ内部に独立した空気室が形成され、それぞれ少なくとも１個所に逆止弁付きの空気給排気口６を備え、空気室内にポンプで空気を入れて膨満させると、各側壁部１，２及び３，４の厚さは１０〜１５ｃｍの範囲で所定厚となる。
【００１９】
また、各側壁部１，２及び３，４の側面の少なくとも１個所には、プール内に入れた水を排出するための開閉自在の排水口７が開設され、また対向し合う左右の側壁部１，２あるいは前後の側壁部３，４のいずれか又は双方の外側面には、空気を注入した膨満状態のプールを移動させるための把手８が設けられている（図１参照）。
【００２０】
上記各側壁部１，２及び３，４のシートの材質は、例えばポリエステル繊維生地の両面にポリ塩化ビニールをコーティングしたものが用いられ、各側壁部を構成する袋状の２枚のシート間には多数等間隔に一様に上記の厚さに相当する長さのポリエステル繊維の撚り糸や釣り糸のようなナイロン糸等の非伸縮性合成樹脂製糸１４がその両内面に両端を止着（融着）されていて、各側壁部１，２及び３，４に空気を供給すると、上記糸の長さに規制されて、所定厚さ以上には膨らまないようになっており、これにより、各側壁部１，２及び３，４内に充分に空気注入を行うことにより、各側壁部は非常に固くなるよう構成されている。
【００２１】
また、方形の合成樹脂製底シート５も、上記各側壁部１，２及び３，４と同様に、例えばポリエステル繊維生地の両面にポリ塩化ビニールをコーティングしたものが用いられ、プールの内底面となる面は、幼児たちのプール内での滑り止めのためにザラ面に形成されている。
【００２２】
なお、上記の各側壁部１，２及び３，４ならびに底シート５の材質は、強度と防水性に優れた樹脂シートであれば、特に上記素材に限定されるものではない。また、本発明における方形型プールの側壁部の長さや高さなど、特にプール全体の寸法は、特に限定されるものではない。
【００２３】
しかして、四周の各側壁部１，２及び３，４による平面方形の組み立ては、次のようにして行われる。
【００２４】
上記のように両端縁が一定角度で下方へ向かって外側へ傾斜している４辺の各側壁部１，２及び３，４を連結する場合、両端が傾斜している左右の側壁部１，２の両端部内側面に、両端が傾斜している前後の側壁部３，４の両端面をその傾斜角度に合わせて接合する。
【００２５】
この場合の接合は、接着剤によって両面を直接接着することも可能であるが、前後の側壁部３，４の両端面は、その内側空気室を膨満させると、前記のような側壁部の厚さ規制のための非伸縮性合成樹脂製糸は内部に止着されていないので、多少外側に膨らんでしまうこととなり、前後の側壁部３，４の両端面に接着剤を塗着しても、塗着面の外周部が左右の側壁部１，２の両端部内側面から剥れ易くなる恐れがある。
【００２６】
そこで、前後の側壁部３，４の膨満状態の厚さにほぼ近い幅でプールの深さにほぼ同長の２枚の帯状の接着力が強力で強靭な防水性の粘着テープをその接着面を外側に向け、両テープの幅方向の中間部裏面を該テープの長さ方向に沿って接着剤で接着した接着テープ９を使用して、その片面を前後の側壁部３，４の傾斜両端面に接着し、他方の接着面は左右の側壁部１，２の傾斜した両端部内側面に接着する（図２参照）。
【００２７】
これにより、四方の側壁部１，２及び３，４は上方から見ると長方形に形成され、かつ各側壁部１，２及び３，４は上方が内側に所定角度倒れた状態に構成され、プール全体はプール上縁部から低部に向かってハの字形の末広がりの形状となる（図１参照）。
【００２８】
このようにして、袋状の各側壁部内に空気の注入により立ち上がって膨満した各側壁部１，２及び３，４は、前記したように所定厚さに規制されて硬くなっているので、そこに腰掛けたり寄り掛かったりすることも可能であり、また、各側壁部１，２及び３，４はその内部構造が外側から見えないように、着色した塩化ビニール樹脂シートを使用しても良い。
【００２９】
次に、上記のように各側壁部１，２及び３，４の連結により全体方形に形成された底部に強靭な底シート５を接着する。この場合、各側壁部の底面全体を接着剤で底シート５を接着させた後、プール底部の防水のため、各側壁部と底シート５が接する内底部個所の外面を防水性のある強靭な粘着テープ１０でしっかりと固定する。
【００３０】
更に、必要であれば、四周の各側壁部１，２及び３，４が連結する隅角部の内側及び外側にも強靭な粘着テープ１１、１２を接着し、この隅角部の補強と上端面を目隠しするために更に他の強靭なＬ型粘着テープ１３も接着使用する。
【００３１】
なお、本発明では、各側壁部１，２及び３，４の下方が外側に向って傾斜する傾斜角度は、垂直方向に対して５〜２０度の範囲内であることが好ましく、傾斜が弱いと側壁部が水圧によって外側に撓んでしまうし、逆に傾斜が強いとプール内低部にデッドスペースができて使用し難くなる。
【００３２】
このプール使用後は、排水口７からプール内の水を排水してから、各側壁部１，２及び３，４の側面に備える各空気給排気口６から各側壁部内の空気室の空気を排気し、このプールは全てシートや粘着テープで構成されているので、ペチャンコにしてから小さく折り畳み、適当な収納用袋に収納することができる。
【００３３】
なお、本発明にかかるプールは、図のような長方形型に限らず、正方形型も含み、四角形型であればどのような形状であってもよい。
【００３４】
また、本実施例では、幼児が１０人前後使用できる大きさを想定したものであるが、本発明においてはプールの寸法を特に限定するものではない。
【００３５】
本発明において、プール内に貯める水の量は、使用する人数等によって自由に選択すれば良いが、プールの深さの少なくとも半分以上水を入れることを想定している。
【符号の説明】
【００３６】
１−右側側壁部
２−左側側壁部
３−前側側壁部
４−後側側壁部
５−底シート
６−空気給排気口
７−排水口
８−把手
９−接着テープ
１０−粘着テープ
１１−粘着テープ
１２−粘着テープ
１３−Ｌ型粘着テープ
１４−非伸縮性合成樹脂製糸
【図１】
2018017061.tif 000003
【図２】
2018017061.tif 000004